(57)【要約】【課題】処理効果が安定しており、且つ、持続性の高い植物生育促進剤および植物の生育促進方法を提供する。【解決手段】有機物質の存在下で過酸化水素を生成する活性炭からなる過酸化水素発生剤を植物生育促進剤として用いる。【選択図】          なし【特許請求の範囲】
【請求項１】
有機物質の存在下で過酸化水素を生成する活性炭からなる過酸化水素発生剤。
【請求項２】
有機物質の存在下で過酸化水素を生成する活性炭からなる請求項１記載の過酸化水素発生剤を用いた植物生育促進剤。
【請求項３】
活性炭が、５００ｐｐｍのポリビニルアルコール水溶液に当該活性炭を８００ｐｐｍ添加し、直に過酸化水素濃度試験紙を浸け２５℃で３０分間空気中に放置し測定したとき、過酸化水素の生成量が０．５ｐｐｍ以上となる、請求項２記載の植物生育促進剤。
【請求項４】
活性炭が、１０００μｍ以下の平均粒子径を有する微粉末である、請求項２、３の何れかに記載の植物生育促進剤。
【請求項５】
活性炭が、１０００μｍ以下の平均粒子径を有する微粉末の懸濁液である、請求項２、３の何れかに記載の植物生育促進剤。
【請求項６】
活性炭が、微生物の培養廃菌体から製造されたものである、請求項２から５の何れかに記載の植物生育促進剤。
【請求項７】
請求項２から６の何れかに記載の植物生育促進剤を使用する植物の生育促進方法。
【発明の詳細な説明】
【０００１】
【発明の属する技術分野】
本発明は、有機物質の存在下で過酸化水素を生成する活性炭からなる過酸化水素発生剤を用いた植物生育促進剤および当該生育促進剤を用いた植物の生育促進方法に関する。
【０００２】
【従来の技術】
従来から、植物の生育促進方法として過酸化水素や各種過酸化物を使用する方法が知られている。すなわち、過酸化水素を使用する方法（例えば、特許文献１参照）、過マンガン酸、過炭酸ナトリウム、過硼酸ナトリウムまたは過酸化水素を使用する方法（例えば、特許文献２参照）、塩素ガス、次亜塩素酸、二酸化塩素、亜塩素酸、塩素酸、塩素酸塩、過塩素酸、過塩素酸塩、オゾン、過酸化水素を使用する方法（例えば、特許文献３参照）、スーパーオキシド、励起三重項酸素、一重項酸素、ヒドロキシラジカル、オゾン、金属オキソ種を含む金属−酸素錯体、過酸化水素、次亜塩素酸、塩素酸、過塩素酸、ペルオキシラジカル、アルコキシラジカル、ヒドロペルオキシドから選択される少なくとも一種の活性酸素群との反応で生成した過酸化物を使用する方法（例えば、特許文献４参照）などが知られている。しかしながら、各種金属を含む酸化剤を使用した場合は金属の残留が問題となり、過酸化水素やオゾンを使用した場合は使用開始までの薬剤としての保存安定性なども問題となる。さらに、使用時において土壌そのものや土壌微生物に由来する酵素の作用等によって速やかに分解されて、効果が持続しない問題があった。
【０００３】
一方、植物の生育促進方法として活性炭を使用する方法も知られており、特定のｐＨ範囲で高炭素化率および高比表面積の活性炭を使用する方法（例えば、特許文献５参照）、キチンオリゴ糖、キトサン、キトサンオリゴ糖、およびこれらの塩の賦形剤や除放化剤として活性炭を使用する方法（例えば、特許文献６参照）、連作障害防除剤、土壌病害防除剤として、分散剤を使って水に分散させた活性炭を用いる方法（例えば、特許文献７参照）などが知られている。しかし、何れの方法も活性炭の吸着作用を使用していたり、除放剤の担体として使用されていたりするのみで、吸着作用の場合は活性炭の吸着限界までしか効果がなく、除放剤担体として使用する場合も吸着された効果物質が放出される間しか効果が持続しない問題がある。
【０００４】
【特許文献１】
特開平５−２１３６８６号公報
【特許文献２】
特開平１１−７１２１４号公報
【特許文献３】
特開２０００−４４４２０号公報
【特許文献４】
特開平６−３０５９２１号公報
【特許文献５】
特開２００１−１２２７１２号公報
【特許文献６】
特開平９−１４３０１３号公報
【特許文献７】
特開２００１−１９９５８号公報
【０００５】
【発明が解決しようとする課題】
本発明は、上記した植物生育促進剤における種々の問題点を解決した、安定性に富み、かつ持続性の高い植物生育促進剤および植物の生育促進方法を提供するものである。
【０００６】
【課題を解決するための手段】
本発明者等は、上記の問題を解決すべく、鋭意検討を行った結果、意外にも、ある種の活性炭に有機物質共存下で過酸化水素を生成する能力があることを見い出し、かつ、この過酸化水素生成能力と植物の生育促進効果との間に高い関連性があることを見出した。即ち、本発明はこの発見にもとづくものであり、植物の生育促進方法において、有機物質存在下で過酸化水素を生成する能力を持つ活性炭からなる過酸化水素発生剤用いた（１）から（７）に示す植物生育促進剤、および植物の生育促進方法に関する。
（１）有機物質の存在下で過酸化水素を生成する活性炭からなる過酸化水素発生剤。
（２）有機物質の存在下で過酸化水素を生成する活性炭からなる（１）記載の過酸化水素発生剤を用いた植物生育促進剤。
（３）活性炭が、５００ｐｐｍのポリビニルアルコール水溶液に当該活性炭材料を８００ｐｐｍ添加し、直に過酸化水素濃度試験紙を浸け２５℃で３０分間空気中に放置し測定したとき、過酸化水素の生成量が０．５ｐｐｍ以上となる、（２）記載の植物生育促進剤。
（４）活性炭が、１０００μｍ以下の平均粒子径を有する微粉末である、（２）、（３）の何れかに記載の植物生育促進剤。
（５）活性炭が、１０００μｍ以下の平均粒子径を有する微粉末の懸濁液である、（２）、（３）の何れかに記載の植物生育促進剤。
（６）活性炭が、微生物の培養廃菌体から製造されたものである、（２）から（５）の何れかに記載の植物生育促進剤。
（７）（２）から（６）の何れかに記載の植物生育促進剤を使用する植物の生育促進方法。
【０００７】
【発明の実施の形態】
本発明の特徴は、植物生育促進剤およびこれを使用する植物の生育促進方法において、有機物質共存下で過酸化水素の生成能力を有する活性炭からなる過酸化水素発生剤を使用することにある。
本発明に使用する活性炭の過酸化水素生成能力は、５００ｐｐｍのポリビニルアルコール水溶液に８００ｐｐｍの当該活性炭を添加したものへ、直ちに過酸化水素濃度試験紙（菱江化学株式会社製あるいはＭＥＲＣＫ社製）を浸け、温度２５℃で３０分間空気中に放置したときの、試験紙の呈色度合いで過酸化水素の生成量を測定する。
本発明においては上記過酸化水素生成濃度が０．５ｐｐｍ以上、好ましくは２ｐｐｍ以上の活性炭を用いる。過酸化水素生成活性が高いほど、培土中での過酸化水素の生成が効率的に進み、活性炭の使用量を少なく、あるいは大きな植物生育促進効果を得ることができる。
【０００８】
本発明で使用する活性炭は過酸化水素生成能力を有するもので、有害な重金属や有機物、植物の生育阻害を伴うような成分を含まないものであれば何れでもよく、その由来は特に限定されない。通常は、泥炭、亜炭、褐炭、瀝青炭、無煙炭などの石炭系鉱物質を原料としたもの、石油残渣、硫酸スラッジ、オイルカーボンなどの石油系鉱物質を原料としたもの、魚肉・畜肉加工残渣、微生物の培養廃菌体例えばビール酵母、あるいはメタノール、エタノール、酢酸、廃糖蜜などを炭素源として培養された糸状菌、放線菌、酵母、細菌の廃菌体などの生物系廃棄物を原料としたもの、その他、活性汚泥やポリアクリロニトリル（ＰＡＮ）などを原料としたものなどが好適に使用される。なお、木材、植物繊維、鋸屑、木炭、ヤシガラ炭、パーム核炭、素灰などの繊維質の多い高等植物を原料としたものは過酸化水素の発生力が少なく他のものに比較してあまり適さない。
【０００９】
また、これら活性炭に処理を加えることにより、過酸化水素分解能力を付与する、或いは向上させて使用することもできる。たとえば、使用する活性炭を微粉末とすることで過酸化水素生成能力を高めることができ、特に１０００μｍ以下の平均粒子径、望ましくは３００μｍ以下の平均粒子径を有する微粉末の使用が望ましい。これは微粉末化とすることにより拡散性が良くなり、もって過酸化水素生成率が上がることに由来すると考えられる。平均粒子径が１０００μｍ以上、例えば１０ｍｍであっても、過酸化水素生成能力があれば本発明の目的は達することができるが、使用量が多くなるなどの問題がある。
【００１０】
活性炭は通常水分吸着などによりその吸着能力を減ずるが、本発明においては、活性炭の吸着能力を利用することはないので、水などの分散媒中に懸濁して使用することができる。培土への活性炭の供給方法には特に制限は無く、固体あるいは粉体の活性炭をそのまま供給してもよいが、懸濁液を散布し、さらにすき込むなどして供給しても良い。実用的には、粉塵発生抑制、操作性の点から顆粒あるいは懸濁液として供給した方が便利であり好ましい。
【００１１】
【実施例】
以下実施例にて本発明を詳細に説明する。なお、本発明は下記実施例に限定されるものではない。
また、実施例中の「活性炭の過酸化水素生成力」とは、５００ｐｐｍのポリビニルアルコール水溶液に８００ｐｐｍの活性炭を添加したものへ、直ちに過酸化水素濃度試験紙（菱江化学株式会社製あるいはＭＥＲＣＫ社製）を浸け、温度２５℃で３０分間空気中に放置し、生成した過酸化水素を測定することで表される。
実施例１
蒸留水あるいは５００ｐｐｍのポリビニルアルコール水溶液に８００ｐｐｍの市販の各種活性炭を添加したものへ、直ちに過酸化水素濃度試験紙（菱江化学株式会社製）を浸け、温度２５℃で３０分間空気中に放置し、生成した過酸化水素を測定した。なお、廃菌体系の活性炭としては、メタノール資化性能を有する細菌廃菌体より製造したものを用いた。結果を表１に示す。
【表１】
2004277288.tif 000002
【００１２】
実施例２
蒸留水または５００ｐｐｍの各種有機物質水溶液、あるいは各種土壌に当重量の蒸留水を添加し攪拌後遠心分離して得られた上澄液に、８００ｐｐｍの市販の各種活性炭を添加したものへ、直ちに過酸化水素濃度試験紙（菱江化学株式会社製）を浸け、温度２５℃で３０分間空気中に放置し、生成した過酸化水素を測定した。結果を表２に示す。
【表２】
2004277288.tif 000003
【００１３】
実施例３
５００ｐｐｍのポリビニルアルコール水溶液に表３の平均粒子径を有する廃菌体系活性炭を８００ｐｐｍ添加したものへ、直ちに過酸化水素濃度試験紙（菱江化学株式会社製）を浸け、温度２５℃で３０分間空気中に放置し、生成した過酸化水素を測定した。結果を表３に示す。
【表３】
2004277288.tif 000004
【００１４】
実施例４
活性炭として廃菌体系活性炭に代えて、石油系活性炭を用いた以外は、実施例３と同様に実験を行った。結果を表４に示す。
【表４】
2004277288.tif 000005
【００１５】
実施例５
活性炭として廃菌体系活性炭の１０％水スラリー液を８０００ｐｐｍ用いた以外は、実施例３と同様に実験を行った。結果を表５に示す。
【表５】
2004277288.tif 000006
【００１６】
実施例６
活性炭として石炭系活性炭の１０％水スラリー液の８０００ｐｐｍを用いた以外は、実施例３と同様に実験を行った。結果を表６に示す。
【表６】
2004277288.tif 000007
【００１７】
実施例７
５００ｐｐｍのポリビニルアルコール水溶液に表７に示した濃度の平均粒子径１０００μｍの廃菌体系活性炭を添加したものへ、直ちに過酸化水素濃度試験紙（菱江化学株式会社製）を浸け、温度２５℃で３０分間空気中に放置し、生成した過酸化水素を測定した。結果を表７に示す。
【表７】
2004277288.tif 000008
【００１８】
実施例８
市販培養土に表８に示した種類の活性炭を１０００ｐｐｍ加えたものをプランター型容器に入れ、各試験区ごとに、縦５粒、横１０粒、合計５０粒の朝顔の種子を播種し、発芽発根、蔓伸びの良否を比較した。生育観察の結果は最良：◎、良：○、普通：×とした。結果を表８に示す。
【表８】
2004277288.tif 000009
【００１９】
実施例９
種子として大根の種子を使用したこと、発芽発根、本葉の展開の良否を比較したこと以外は、実施例８と同様に実験を行った。結果を表９に示す。
【表９】
2004277288.tif 000010
【００２０】
実施例１０
市販培養土に表１０に示した平均粒子径の廃菌体系活性炭を１０００ｐｐｍ添加したものをプランター型容器に入れ、各試験区ごとに、縦５粒、横１０粒、合計５０粒の朝顔の種子を播種し、発芽発根、蔓伸びの良否を比較した。生育観察の結果は最良：◎、良：○、普通：×とした。結果を表１０に示す。
【表１０】
2004277288.tif 000011
【００２１】
実施例１１
活性炭として石炭系活性炭の１０％水スラリー液の１００００ｐｐｍを用いた以外は、実施例１０と同様に実験を行った。結果を表１１に示す。
【表１１】
2004277288.tif 000012
【００２２】
実施例１２
市販培養土に表１２に示した濃度の平均粒子径１０００μｍの廃菌体系活性炭を添加したものをプランター型容器に入れ、各試験区ごとに、縦５粒、横１０粒、合計５０粒の朝顔の種子を播種し、発芽発根、蔓伸びの良否を比較した。生育観察の結果は最良：◎、良：○、普通：×とした。結果を表１２に示す。
【表１２】
2004277288.tif 000013
【００２３】
実施例１３
市販培養土に廃菌体系活性炭を１０００ｐｐｍ添加したものを入れたプランター型容器に、各試験区ごとに、縦５粒、横１０粒、合計５０粒の大根の種子を播種し、発芽発根、本葉の展開の良否を比較した。その後、大根を抜き取り、再度同様に、朝顔の種子を縦５粒、横１０粒、合計５０粒播種し、発芽発根、蔓伸びの良否を繰り返し比較した。生育観察の結果を最良：◎、良：○、普通：×として、表１３に示す。
【表１３】
2004277288.tif 000014
【００２４】
実施例１４
活性炭を使用しなかった以外は、実施例１３と同様に実験を行った。生育観察の結果を最良：◎、良：○、普通：×、悪い：××として、表１４に示す。
【表１４】
2004277288.tif 000015
【００２５】
【発明の効果】
本発明の有機物質の存在下で過酸化水素を生成する活性炭からなる過酸化水素発生剤を用いた植物生育促進剤は、安定性に富み、かつ持続性の高い植物生育促進効果をもたらすので、産業上極めて有用である。